(57)【要約】【課題】簡単な構造で、電源を必要とせずに水を加熱できる電気不要の容器構造を提供する。【解決手段】本体１、導熱装置２、制御装置１１及び蓋体４から構成する。該本体内には第一チャンバー１３と第二チャンバー１４を設ける。該第一チャンバーは内部に水を注入し、該第二チャンバーは発熱体１５を設置する。該発熱体は外界から伝導した熱エネルギーを吸収し、発熱する材質で構成され、該導熱装置２は第一チャンバーと第二チャンバーの間に設置して第一チャンバーと第二チャンバーの熱エネルギーを伝導する。該制御装置は該導熱装置と結合して該導熱装置と第一チャンバー、第二チャンバーを接触させたり、分離させたりするのに用い、該蓋体は上述の本体に被せる。【選択図】図３
0003162779.tif 000002
【実用新案登録請求の範囲】
【請求項１】
電気不要の加熱容器構造であって、
該本体内に第一チャンバーと第二チャンバーを隣接して設け、該第一チャンバーは水を注入して貯留し、該第二チャンバーには発熱体を設置し、該発熱体は外界から伝導した熱エネルギーを吸収して発熱する材質で作られ、
第一チャンバーと第二チャンバーの間に、両者間に熱エネルギーを伝導する導熱装置を設置し、
該導熱装置と結合して該導熱装置を第一チャンバー、第二チャンバーに接触させたり、分離させたりする制御装置と、
上述の本体に被せる蓋体とからなることを特徴とする電気不要の加熱容器構造。
【請求項２】
前記制御装置は、スイッチボタンとバネを備え、スイッチボタンを押すとバネが働いて該導熱装置を押し、上記導熱装置と第一チャンバー、第二チャンバーを接触させたり、分離させたりすることを特徴とする請求項１記載の電気不要の加熱容器構造。
【請求項３】
前記本体は、更に第一チャンバー内の水温を表示する温度表示計を設けたことを特徴とする請求項１記載の電気不要の加熱容器構造。
【請求項４】
前記本体は、ティーポット形状として、出水孔を設けたことを特徴とする請求項１記載の電気不要の容器構造。
【考案の詳細な説明】
【技術分野】
【０００１】
本考案は、電気不要の加熱容器構造に関するもので、構造が簡単でコストが低く、電源差込をせずに加熱できる電気不要の加熱容器構造で、ティーポット、鍋もしくは野外キャンプで加熱できる容器に係わる。
【背景技術】
【０００２】
現在、ティーポット、保温瓶等の液体を入れる容器は、例えば加熱して高温にしたい時、ガス台に置いて沸騰させる他に、電源と接続する方式でコンセントに差し込み、加熱する方法が最も簡単である。
【０００３】
しかしながら、上述の方式は、確かに有効且つ高速に加熱する事ができるものの、熱源（例として電気、ガス）を使わなければならない。しかし、現在は環境保護意識が台頭する中、地球を保護し、エネルギーを節約する意識を持つ人は益々増えており、電気製品や生活用品等、生活と密接な関係にある用品に対して、省エネ、二酸化炭素の削減を目標にしている。
【先行技術文献】
【特許文献】
【０００４】
【特許文献１】特開２００４−３６２９４５号公報
【考案の概要】
【考案が解決しようとする課題】
【０００５】
解決しようとする問題点は、熱源を使用しないと加熱できない点である。
【課題を解決するための手段】
【０００６】
本考案は、本体、導熱装置、制御装置及び蓋体からなる。そのうち、該本体内には第一チャンバーと第二チャンバーを設置する。該第一チャンバーは内部に水を注入し、該第二チャンバーには発熱体を設置する。そのうち、該発熱体は外界から伝導した熱エネルギーを吸収して発熱する材質で製造する。該導熱装置は第一チャンバーと第二チャンバーの間に設置して第一チャンバーと第二チャンバーの熱エネルギーを伝導する。該制御装置は該導熱装置と結合して該導熱装置と第一チャンバー、第二チャンバーを接触させたり、分離させたりするのに用い、該蓋体は上述の本体に被せる構造としたことを主要な特徴とする。
【考案の効果】
【０００７】
本考案の電気不要の容器構造は、構造が簡単で、コストが低く、電源を必要とせずに水を加熱できるという利点がある。
【図面の簡単な説明】
【０００８】
【図１】本考案の実施例電気不要の容器構造の外観指示図である。
【図２】本考案の電気不要の容器構造の実施例の使用前の状態指示図である。
【図３】本考案の実施例の導熱装置と第一チャンバー、第二チャンバー接触時の状態指示図である。
【図４】本考案の実施例の導熱装置と第一チャンバー、第二チャンバー分離後の状態指示図である。
【考案を実施するための形態】
【０００９】
構造が簡単で、コストが低く、電源を必要とせずに水を加熱できる電気不要の容器構造を提供することを本考案の主な目的とする。
【００１０】
上述の目的を達成するため、本考案の電気不要の容器構造は、本体、導熱装置、制御装置及び蓋体から構成する。そのうち、該本体内には第一チャンバーと第二チャンバーを設置する。該第一チャンバーは内部に水を注入し、該第二チャンバーは発熱体を設置する。そのうち、該発熱体は外界から伝導した熱エネルギーを吸収し、発熱する材質で製造する。該導熱装置は第一チャンバーと第二チャンバーの間に設置して第一チャンバーと第二チャンバーの熱エネルギーを伝導する。該制御装置は該導熱装置と結合して該導熱装置と第一チャンバー、第二チャンバーを接触させたり、分離させたりするのに用い、該蓋体は上述の本体に被せる。
【００１１】
実施時，該制御装置はスイッチボタンとバネを含み、スイッチボタンを押すことで、バネが動いて該導熱装置を押し、導熱装置と第一チャンバー、第二チャンバーを接触させたり分離させたりする。
【００１２】
実施時，該本体は、更に第一チャンバー内の温度を表示する温度表示計を含む。
実施時，該本体は、ティーポット形状で成形し、出水孔を設置する。
【００１３】
更に本考案を詳述するため、図式を示しながら実施例を挙げる。
【実施例】
【００１４】
図１〜４に示すのは、本考案の電気不要の加熱容器構造の良好な実施例で、該実施例の容器ではティーポットを応用したものを例とする。該電気不要の加熱容器は、本体１、導熱装置２、制御装置３及び蓋体４から構成される。
【００１５】
該本体１の外側には水温を表示する温度表示計１１を設置し、更に出水孔１２を成形する。該本体１内には第一チャンバー１３と第二チャンバー１４を設け、該第一チャンバー１３は水を内に入れるのに用い、該第二チャンバー１４は発熱体１５を設置する。そのうち、該発熱体１５は外界から伝導された熱エネルギーを吸収して発熱する材質で作られる。
【００１６】
該導熱装置２は、第一チャンバー１３と第二チャンバー１４の間に設置し、第一チャンバー１３と第二チャンバー１４の熱エネルギーを伝導するのに用いる。該制御装置３は該導熱装置２と結合し、該導熱装置２と第一チャンバー１３、第二チャンバー１４を接触または分離するのに用いる。そのうち、該制御装置３はスイッチボタン３１とバネ３２を備え、スイッチボタン３１を押すと、バネ３２が動いて該導熱装置２を押し、導熱装置２と第一チャンバー１３、第二チャンバー１４を接触させたり、分離させたりする。また該蓋体４は上述の本体１を被せるのに用いる。
【００１７】
実施時、図２から図４に示すとおり、使用者は水５を本体１上方から本体１内の第一チャンバー１３に注入した後、スイッチボタン３１を押すと、バネ３２が動いて該導熱装置２を押して導熱装置２と第一チャンバー１３、第二チャンバー１４を接触させる。第二チャンバー１４内の発熱体１５は該導熱装置２によって第一チャンバー１３に温度を伝え、発熱体１５によって発熱し、且つ発熱時の熱エネルギーは同時に該導熱装置２によって第一チャンバー１３へ伝えられ、第一チャンバー１３の温度を徐々に上げることで第一チャンバー１３内の水温が常に上昇し続ける。
【００１８】
使用者は本体１外側の温度表示計１１で水温を知り、必要な温度に到達した時、再度スイッチボタン３１を押すと、バネ３１が該導熱装置２を押し、導熱装置２と第一チャンバー１３、第二チャンバー１４を分離させ、熱エネルギーは導熱装置２から伝導されなくなる。そのため、第一チャンバー１３の水温は、上昇しなくなり、第二チャンバー１４内の発熱体１５は作動しない。
【００１９】
勿論、第一チャンバー１３内の水温が低すぎたり、その他、水を更に注入したりした場合、使用者はスイッチボタン３１を押すだけで、導熱装置２を再び第一チャンバー１３、第二チャンバー１４と接触させて第一チャンバー１３内の水温を上げる。
【００２０】
本考案の加熱容器構造は、発熱体の特性を利用することで加熱の目的を達成し、同時に制御装置によって導熱装置と第一チャンバー、第二チャンバーを接触もしくは分離させたりして温度を上昇、冷却し、電源を必要としないので、省エネ二酸化炭素を削減し、コストが低く、使用が便利である。
【００２１】
上述の本考案の具体的実施例及びそれを運用する技術手段は、本文の提示もしくは教示によって多くの変更及び修正を導くことができる。仮に本考案の構想による同効果の変更によって発生した作用が説明書及び図式が含むところの本考案の精神を超えていない場合、それらはすべて本考案の技術範囲に含まれるものとする。
【００２２】
上述の提示内容は本考案が予定の目的を達成して電気不要の発熱容器構造を提供し、産業利用及び実用性があるため、実用新案登録を請求する。
【符号の説明】
【００２３】
１        本体
１１        温度表示計
１２        出水孔
１３        第一チャンバー
１４        第二チャンバー
１５        発熱体
２        導熱装置
３        制御装置
３１        スイッチスイッチボタン
３２        バネ
４        蓋体
５        水
【図１】
0003162779.tif 000003
【図２】
0003162779.tif 000004
【図３】
0003162779.tif 000005
【図４】
0003162779.tif 000006